(57)【要約】【課題】気温が高い時や多くの乗客がかご内に閉じ込められた場合、かご内温度の異常上昇、また酸素濃度の異常低下を検知することにより、エレベータ停止時の閉じ込めを検出できるエレベータの閉じ込め検出装置を得る。【解決手段】エレベータ制御装置４と、かご１内に設置され、かご内の温度の異常上昇及びかご内の酸素濃度の異常低下を検知する温度計及び酸素濃度計３と、を備え、エレベータが異常停止した時、温度計及び酸素濃度計がかご内温度の異常上昇及び酸素濃度の異常低下を検知すると、その検知情報をエレベータ制御装置に情報伝達し、エレベータ制御装置が閉じ込め発生と判断する。【選択図】図１
2008105761.tif 000002
【特許請求の範囲】
【請求項１】
エレベータ制御装置と、
かご内に設置され、かご内の温度の異常上昇及びかご内の酸素濃度の異常低下を検知する温度計及び酸素濃度計と、を備え、
エレベータが異常停止した時、前記温度計及び酸素濃度計がかご内温度の異常上昇及び酸素濃度の異常低下を検知すると、その検知情報を前記エレベータ制御装置に情報伝達し、エレベータ制御装置が閉じ込め発生と判断することを特徴とするエレベータの閉じ込め検出装置。
【請求項２】
エレベータ制御装置と、
かご内に設置され、かご内の温度の異常上昇及びかご内の酸素濃度の異常低下を検知する温度計及び酸素濃度計と、
情報センタと、を備え、
エレベータが異常停止した時、前記温度計及び酸素濃度計がかご内温度の異常上昇及び酸素濃度の異常低下を検知すると、その検知情報を前記エレベータ制御装置に情報伝達し、エレベータ制御装置が閉じ込め発生と判断して閉じ込め検出信号を前記情報センタに発報することを特徴とするエレベータの閉じ込め検出装置。
【請求項３】
エレベータ制御装置と、
かご内に設置され、かご内の温度の異常上昇及びかご内の酸素濃度の異常低下を検知する温度計及び酸素濃度計と、
情報センタと、を備え、
エレベータが異常停止した時、前記温度計及び酸素濃度計がかご内温度の異常上昇及び酸素濃度の異常低下を検知すると、その検知情報を前記エレベータ制御装置に情報伝達し、エレベータ制御装置が閉じ込め発生と判断して閉じ込め検出信号を前記情報センタに発報するとともに、前記温度計及び酸素濃度計が検知した検知情報を保守員による復旧作業の優先順位をつけるためのデータとして前記情報センタに送ることを特徴とするエレベータの閉じ込め検出装置。
【請求項４】
エレベータ制御装置と、
かご内に設置され、運転されるとかご内に新鮮な空気を送り込むかご内ファンと、
かご内に設置され、かご内の温度の異常上昇及びかご内の酸素濃度の異常低下を検知する温度計及び酸素濃度計と、を備え、
エレベータが異常停止した時、前記温度計及び酸素濃度計がかご内温度の異常上昇及び酸素濃度の異常低下を検知すると、その検知情報を前記エレベータ制御装置に情報伝達し、エレベータ制御装置が閉じ込め発生と判断するとともに、前記かご内ファンが停止している場合は、前記エレベータ制御装置がかご内ファンに起動指令を出力することを特徴とするエレベータの閉じ込め検出装置。
【請求項５】
かご内の温度の異常上昇及びかご内の酸素濃度の異常低下を検知する温度計及び酸素濃度計に代えて、かご内の温度の異常上昇及びかご内の炭酸ガス濃度の異常上昇を検知する温度計及び炭酸ガス濃度計を用いたことを特徴とする請求項１から請求項４のいずれかに記載のエレベータの閉じ込め検出装置。
【発明の詳細な説明】
【技術分野】
【０００１】
この発明は、地震等でエレベータが停止した場合、かご内に乗客が閉じ込められていることを検出するエレベータの閉じ込め検出装置に関するものである。
【背景技術】
【０００２】
地震発生などでエレベータが停止してかご内に乗客が閉じ込められた場合、保守員が救出するまでかご内で待たなければならない。気温が高い夏季に閉じ込めが起きた場合やかご内の乗客の人数が多い場合は、かご内の温度上昇や酸素濃度の低下などが生じ、かご内の乗客の身体が心配されることが考えられる。
地震発生などで多くのエレベータが同時に停止した場合は、保守員が順番にエレベータを復旧させていく。この際に閉じ込め発生の有無で優先順位をつけているが、閉じ込めが発生しているエレベータかご内の状態などの情報は少なく、かご内の状態によって復旧の優先順位を変えるようなことは行われていない。その為、かご内に多くの乗客が閉じ込められた場合や、かご内ファンが動作していない現場などでは、復旧に時間がかかると、かご内に閉じ込められた乗客の身体が心配されることが考えられる。
【０００３】
従来、エレベータかご内に設置され、圧電フィルムセンサ等からなり、乗客の心拍、呼吸などによる体動を検出する圧力検出部と、圧力検出部が検出した出力信号から心拍と呼吸成分の少なくともいずれかを抽出するフィルタ等の信号処理を行い、人体の存在有無の検知と乗客の健康状態の計測を行う判断部とを少なくとも備えているエレベータかご内閉じ込め検出装置が知られている（例えば、特許文献１参照）。
【０００４】
【特許文献１】特開２００３−４０５４０号公報
【発明の開示】
【発明が解決しようとする課題】
【０００５】
従来のエレベータかご内閉じ込め検出装置では、実際の人体の状況（心拍、呼吸）を見ているが、かご内の温度や酸素の状況により、かご内の乗客の身体への影響度を相対的に判断するものではない。
【０００６】
この発明は、上述のような課題を解決するためになされたもので、気温が高い時や多くの乗客がかご内に閉じ込められた場合、かご内温度の異常上昇、また酸素濃度の異常低下を検知することにより、エレベータ停止時の閉じ込めを検出できるようにしたエレベータの閉じ込め検出装置を提供するものである。
【課題を解決するための手段】
【０００７】
この発明に係るエレベータの閉じ込め検出装置においては、エレベータ制御装置と、かご内に設置され、かご内の温度の異常上昇及びかご内の酸素濃度の異常低下を検知する温度計及び酸素濃度計と、を備え、エレベータが異常停止した時、温度計及び酸素濃度計がかご内温度の異常上昇及び酸素濃度の異常低下を検知すると、その検知情報をエレベータ制御装置に情報伝達し、エレベータ制御装置が閉じ込め発生と判断するものである。
【０００８】
また、エレベータ制御装置と、かご内に設置され、かご内の温度の異常上昇及びかご内の酸素濃度の異常低下を検知する温度計及び酸素濃度計と、情報センタと、を備え、エレベータが異常停止した時、温度計及び酸素濃度計がかご内温度の異常上昇及び酸素濃度の異常低下を検知すると、その検知情報をエレベータ制御装置に情報伝達し、エレベータ制御装置が閉じ込め発生と判断して閉じ込め検出信号を情報センタに発報するものである。
【０００９】
また、エレベータが異常停止した時、温度計及び酸素濃度計がかご内温度の異常上昇及び酸素濃度の異常低下を検知すると、その検知情報をエレベータ制御装置に情報伝達し、エレベータ制御装置が閉じ込め発生と判断して閉じ込め検出信号を情報センタに発報するとともに、温度計及び酸素濃度計が検知した検知情報を保守員による復旧作業の優先順位をつけるためのデータとして情報センタに送るものである。
【００１０】
また、エレベータ制御装置と、かご内に設置され、運転されるとかご内に新鮮な空気を送り込むかご内ファンと、かご内に設置され、かご内の温度の異常上昇及びかご内の酸素濃度の異常低下を検知する温度計及び酸素濃度計と、を備え、エレベータが異常停止した時、温度計及び酸素濃度計がかご内温度の異常上昇及び酸素濃度の異常低下を検知すると、その検知情報をエレベータ制御装置に情報伝達し、エレベータ制御装置が閉じ込め発生と判断するとともに、かご内ファンが停止している場合は、エレベータ制御装置がかご内ファンに起動指令を出力するものである。
【００１１】
また、かご内の温度の異常上昇及びかご内の酸素濃度の異常低下を検知する温度計及び酸素濃度計に代えて、かご内の温度の異常上昇及びかご内の炭酸ガス濃度の異常上昇を検知する温度計及び炭酸ガス濃度計を用いたものである。
【発明の効果】
【００１２】
この発明によれば、エレベータ制御装置と、かご内に設置され、かご内の温度の異常上昇及びかご内の酸素濃度の異常低下を検知する温度計及び酸素濃度計と、を備え、エレベータが異常停止した時、温度計及び酸素濃度計がかご内温度の異常上昇及び酸素濃度の異常低下を検知すると、その検知情報をエレベータ制御装置に情報伝達し、エレベータ制御装置が閉じ込め発生と判断するので、気温が高い時や多くの乗客がかご内に閉じ込められた場合、かご内温度の異常上昇また酸素濃度の異常低下の著しい現場は緊急性が高いと判断し、復旧作業の優先度を上げることができる。
【発明を実施するための最良の形態】
【００１３】
実施の形態１．
図１はこの発明の実施の形態１におけるエレベータの閉じ込め検出装置を示す全体構成図である。
図１において、１はエレベータのかご、２はかご１内に設置されたかご内ファンで、運転されると、外部の新鮮空気をかご内に送り込む働きをする。３はかご１に設置された温度計及び酸素濃度計で、かご内の温度の異常上昇及びかご内の酸素濃度の異常低下を検知する。そして、この温度計及び酸素濃度計３で検知した各情報がエレベータの復旧の優先順位をつける為に必要なデータとなる。４はエレベータ制御装置、５は発報装置、６は情報センタである。
【００１４】
今、エレベータが何らかの原因、例えば地震発生等により停止した場合、かご内に設置された温度計及び酸素濃度計３により、かご内の温度の異常上昇及びかご内の酸素濃度の異常低下を検知すると、その検知した情報をエレベータ制御装置４に情報伝達し、エレベータ制御装置４が閉じ込め発生と判断し、次に説明する所定の動作を行う。
すなわち、エレベータ制御装置４に設けられた発報装置５により閉じ込め検出信号を情報センタ６側に発報する。また、保守員による復旧作業の優先順位をつける為に必要なデータであるかご内温度、かご内酸素濃度等を情報センタ６に送る。また、かご内ファン２が停止している場合は、エレベータ制御装置４からかご内ファン２に起動指令を出力し、かご内に外部の新鮮な空気を送り込み、かご内の温度の低下及び酸素濃度の上昇を図るようにする。
なお、情報センタ６では、複数現場で閉じ込めが発生している場合は、エレベータの各現場におけるかご内情報・状況を集める。すなわち、温度計及び酸素濃度計３で検知したかご内の温度情報及びかご内の酸素濃度情報等を集め、この温度計及び酸素濃度計３で検知した各情報がエレベータの復旧の優先順位をつける為に必要なデータとなる。これにより、かご内の温度上昇・酸素濃度低下が著しい現場のエレベータを優先的に復旧させる指令を出すことができることになる。
【００１５】
実施の形態２．
上記実施の形態１では、かご１に設置された温度計及び酸素濃度計３で、かご内の温度の異常上昇及びかご内の酸素濃度の異常低下を検知しているが、温度計及び酸素濃度計３の代わりに温度計及び炭酸ガス濃度計を用いても良い。この場合、温度計及び炭酸ガス濃度計は、かご内の温度の異常上昇及びかご内の炭酸ガス濃度の異常上昇を検知することになる。
【図面の簡単な説明】
【００１６】
【図１】この発明の実施の形態１におけるエレベータの閉じ込め検出装置を示す全体構成図である。
【符号の説明】
【００１７】
１  エレベータのかご
２  かご内ファン
３  温度計及び酸素濃度計
４  エレベータ制御装置
５  発報装置
６  情報センタ
【図１】
2008105761.tif 000003